【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
Ａ）
ｉ）フッ素含有率が少なくとも２５重量％である少なくとも１種のフリーラジカル重合可能な多官能性物質と、
ｉｉ）任意に、フッ素含有率が０重量％〜２５重量％未満である少なくとも１種のフリーラジカル重合可能な多官能性物質と、の反応生成物を含むフリーラジカル重合可能なフッ素化ポリマー中間体であって、
多官能性物質の総量が、重合可能な有機組成物の固形分重量％を基準として、少なくとも約２５重量％である、フリーラジカル重合可能なフッ素化ポリマー中間体と、
Ｂ）少なくとも１種のフリーラジカル重合可能なフッ素化物質と、を含む、重合可能な有機組成物の反応生成物を含む低屈折率層と、
該低屈折率層に連結された高屈折率層と、を含む、反射防止フィルム。
【請求項２】
Ａ）、Ｂ）、又はこれらの混合物が表面改質無機ナノ粒子をさらに含む、請求項１に記載の反射防止フィルム。
【請求項３】
有機溶媒に溶解又は分散された超分岐構造を有するフリーラジカル重合可能なフッ素化ポリマーを少なくとも５重量％含む低屈折率組成物であって、該ポリマーが、
ｉ）フッ素含有率が少なくとも約２５重量％である少なくとも１種のフリーラジカル重合可能な多官能性物質と、
ｉｉ）任意に、フッ素含有率が０重量％〜２５重量％未満である少なくとも１種のフリーラジカル重合可能な多官能性物質と、
の反応生成物を含み、該多官能性物質の総量が固形分重量％を基準として、少なくとも２５重量％である、低屈折率組成物。
【手続補正２】
【補正対象書類名】明細書
【補正対象項目名】０１７７
【補正方法】変更
【補正の内容】
【０１７７】
【表１】
2009540390.tif 000001
以下に、本願発明に関連する発明の実施形態を列挙する。
実施形態１
Ａ）
ｉ）フッ素含有率が少なくとも２５重量％である少なくとも１種のフリーラジカル重合可能な多官能性物質と、
ｉｉ）任意に、フッ素含有率が０重量％〜２５重量％未満である少なくとも１種のフリーラジカル重合可能な多官能性物質と、の反応生成物を含むフリーラジカル重合可能なフッ素化ポリマー中間体であって、
多官能性物質の総量が、重合可能な有機組成物の固形分重量％を基準として、少なくとも約２５重量％である、フリーラジカル重合可能なフッ素化ポリマー中間体と、
Ｂ）少なくとも１種のフリーラジカル重合可能なフッ素化物質と、を含む、重合可能な有機組成物の反応生成物を含む低屈折率層と、
該低屈折率層に連結された高屈折率層と、を含む、反射防止フィルム。
実施形態２
前記低屈折率層がＡ）とＢ）との共重合生成物を含む、実施形態１に記載の反射防止フィルム。
実施形態３
前記低屈折率層がＢ）の重合生成物を含む、実施形態１に記載の反射防止フィルム。
実施形態４
前記低屈折率層の屈折率が１．５０未満であり、前記高屈折率層の屈折率が前記低屈折率層より少なくとも０．１０高い、実施形態１に記載の反射防止フィルム。
実施形態５
Ａ）、Ｂ）、又はこれらの混合物が表面改質無機ナノ粒子をさらに含む、実施形態１に記載の反射防止フィルム。
実施形態６
Ｂ）のフッ素含有率が少なくとも約２５重量％である、実施形態１に記載の反射防止フィルム。
実施形態７
前記重合可能な有機組成物の少なくとも約５０重量％が、フッ素含有率が少なくとも２５重量％であるフリーラジカル重合可能な物質を含む、実施形態１に記載の反射防止フィルム。
実施形態８
Ａ）、Ｂ）、又はこれらの混合物が、少なくとも３個のフリーラジカル重合可能な基を有する少なくとも１種の架橋剤をさらに含む、実施形態１に記載の反射防止フィルム。
実施形態９
前記（メタ）アクリレート架橋剤がフッ素化されていない、実施形態８に記載の反射防止フィルム。
実施形態１０
前記（メタ）アクリレート架橋剤が、少なくとも約１０重量％の総量で存在する、実施形態９に記載の反射防止フィルム。
実施形態１１
フッ素含有率が０〜２５重量％未満の範囲である物質が、３０重量％未満の前記重合可能な有機組成物を含む、実施形態１に記載の反射防止フィルム。
実施形態１２
前記フリーラジカル重合可能な物質が（メタ）アクリル物質を含む、実施形態１に記載の反射防止フィルム。
実施形態１３
前記フリーラジカル重合可能な物質が、（メタ）アクリレート物質を含む、実施形態１に記載の反射防止フィルム。
実施形態１４
前記フリーラジカル重合可能な物質が、フルオロアルキル物質、フルオロアルキレン物質、及びフルオロポリエーテル物質から選択される、実施形態１に記載の反射防止フィルム。
実施形態１５
ｉ）、Ｂ）、又はこれらの混合物が、少なくとも１種のフルオロポリエーテル（メタ）アクリレート化合物を含む、実施形態１に記載の反射防止フィルム。
実施形態１６
前記フルオロポリエーテル（メタ）アクリレート化合物がＨＦＰＯ−部分を含む、実施形態１５に記載の反射防止フィルム。
実施形態１７
前記フルオロポリエーテル化合物が、反応性フルオロポリエーテルとマルチ−（メタ）アクリレートとのマイケル付加物である、実施形態１５に記載の反射防止フィルム。
実施形態１８
前記フルオロポリエーテル化合物が、反応性フルオロポリエーテルマルチ−（メタ）アクリレートとアミン化合物とのマイケル付加物である、実施形態１５に記載の反射防止フィルム。
実施形態１９
Ａ）、Ｂ）、又はこれらの混合物が、少なくとも１種のフリーラジカル重合可能な一官能性物質を含む、実施形態１に記載の反射防止フィルム。
実施形態２０
前記一官能性物質のフッ素含有率が少なくとも２５重量％である、実施形態１９に記載の反射防止フィルム。
実施形態２１
Ａ）が一官能性物質を含まない、実施形態１に記載の反射防止フィルム。
実施形態２２
前記高屈折率層が金属又は金属酸化物物質から成る、実施形態１に記載の反射防止フィルム。
実施形態２３
有機溶媒に溶解又は分散されたフリーラジカル重合可能なフッ素化ポリマーを少なくとも５重量％含む低屈折率組成物であって、該ポリマーが、
ｉ）フッ素含有率が少なくとも約２５重量％である少なくとも１種のフリーラジカル重合可能な多官能性物質と、
ｉｉ）任意に、フッ素含有率が０重量％〜２５重量％未満である少なくとも１種のフリーラジカル重合可能な多官能性物質と、
の反応生成物を含み、該多官能性物質の総量が固形分重量％を基準として、少なくとも２５重量％である、低屈折率組成物。
実施形態２４
前記ポリマーが少なくとも約１０固形分重量％の濃度で存在する、実施形態２３に記載の低屈折率組成物。
実施形態２５
前記有機溶媒がフッ素化されていない、実施形態２３に記載の低屈折率組成物。
実施形態２６
前記組成物が少なくとも二峰性の分子量分布を有する、実施形態２３に記載の低屈折率組成物。
実施形態２７
前記組成物が、１，０００，０００ｇ／モルを超えるポリスチレン換算分子量（equivalent Mw）を有する反応生成物を少なくとも１０重量％含む、実施形態２３に記載の低屈折率組成物。
実施形態２８
前記組成物が、約５，０００ｇ／モル〜１，０００，０００ｇ／モルの範囲のポリスチレン換算分子量を有する反応生成物を約２０重量％含む、実施形態２３に記載の低屈折率組成物。
実施形態２９
未反応のフリーラジカル重合可能な物質をさらに含む、実施形態２３に記載の低屈折率組成物。
実施形態３０
前記組成物が少なくとも１種のフリーラジカル重合可能な一官能性物質を含む、実施形態２３に記載の低屈折率組成物。
実施形態３１
前記一官能性物質のフッ素含有率が少なくとも２５重量％である、実施形態２３に記載の反射防止フィルム。
実施形態３２
Ａ）
ｉ）フッ素含有率が少なくとも約２５重量％である少なくとも１種のフリーラジカル重合可能な多官能性物質と、
ｉｉ）任意に、フッ素含有率が０重量％〜２５重量％未満である少なくとも１種のフリーラジカル重合可能な多官能性物質と、を溶液重合してフリーラジカル重合可能なポリマー中間体組成物を提供する工程であって、
該多官能性物質の総量が、固形分重量％を基準として少なくとも２５重量％である工程と、
Ｂ）該ポリマー中間体組成物を少なくとも１種のフリーラジカル重合可能なフッ素化物質と混合する工程と、
Ｃ）Ｂ）の組成物を高屈折率層の上にコーティングする工程と、
Ｄ）Ｂ）の該コーティングされた組成物を光硬化する工程と、を含む、反射防止フィルムの製造方法。